(57)【特許請求の範囲】
【請求項１】
透析液、補液又は抗凝固剤等の血液浄化治療のための液体を収容する収容バッグを保持し得る保持手段を具備し、当該収容バッグ内の液体を使用して血液浄化治療を行い得る血液浄化装置において、
前記保持手段は、
前記収容バッグを取り付け可能な取付け部を有するとともに、当該収容バッグを使用する使用位置と当該収容バッグを交換する交換位置との間で移動可能なハンガー部と、
該ハンガー部で保持された収容バッグの重量を計測し得る計測手段と、
前記ハンガー部が使用位置にあるとき、前記収容バッグの前記取付け部に対する取り付け及び取り外しを規制する規制手段と、
を具備し、前記規制手段は、前記ハンガー部に取り付けられるとともに、前記取付け部を遮蔽する第１位置と当該取付け部を開放する第２位置との間で移動し得る遮蔽板から成り、前記ハンガー部が交換位置にあるときに限り、当該第１位置から第２位置に移動可能とされたことを特徴とする血液浄化装置。
【請求項２】
前記ハンガー部が前記使用位置にあることを検知する検知手段を具備するとともに、血液浄化治療中、前記ハンガー部が前記使用位置にあることを前記検知手段にて検知しないとき、当該ハンガー部が使用位置にない旨を報知することを特徴とする請求項１記載の血液浄化装置。
【請求項３】
前記ハンガー部が前記使用位置にあることを検知する検知手段を具備するとともに、血液浄化治療中、前記ハンガー部が前記使用位置にあることを前記検知手段にて検知しないとき、血液浄化治療に関わる制御を中止することを特徴とする請求項１記載の血液浄化装置。
【請求項４】
血液浄化治療に関わる制御が中止された後、前記ハンガー部が前記使用位置にあることを前記検知手段にて検知したとき、当該血液浄化治療に関わる制御を再開することを特徴とする請求項３記載の血液浄化装置。
【発明の詳細な説明】
【技術分野】
【０００１】
本発明は、透析液、補液又は抗凝固剤等の血液浄化治療のための液体を収容する収容バッグを保持し得る保持手段を具備し、当該収容バッグ内の液体を使用して血液浄化治療を行い得る血液浄化装置に関するものである。
【背景技術】
【０００２】
透析液や補液等が収容された収容バッグ（透析液バッグや補液バッグ）を用いて血液浄化治療を行う血液浄化装置は、従来、収容バッグを取り付け可能なフック部を有するハンガー部と、ハンガー部で保持された収容バッグの重量を計測し得る計測手段（荷重計）とを具備していた。そして、例えばしごき型ポンプによって、透析液が収容された収容バッグ（透析液用収容バッグ）から血液浄化器（ダイアライザ）に透析液を所定流量にて供給するとともに、その血液浄化器からの排液を所定流量にて他の収容バッグ（排液用収容バッグ）に収容させるようになっている。また、例えば他のしごき型ポンプによって、補液が収容された収容バッグ（補液用収容バッグ）から血液回路に補液を所定流量にて供給させることもできる。
【０００３】
上記従来の血液浄化装置においては、血液浄化治療の途中、透析液用収容バッグ内の透析液や補液用収容バッグ内の補液が消費されて空になったり、或いは排液用収容バッグが排液で満杯になった際、作業者によって収容バッグを適宜交換する必要があった。かかる収容バッグの交換作業においては、作業者による操作により、透析液や補液の供給動作等の血液浄化治療に関わる制御、及び計測手段による計測等を一時停止させ、その一時停止した状態にて所望の収容バッグを交換した後、血液浄化治療に関わる制御を再開させるものとされていた。なお、かかる先行技術は、文献公知発明に係るものでないため、記載すべき先行技術文献情報はない。
【発明の概要】
【発明が解決しようとする課題】
【０００４】
しかしながら、上記従来技術においては、血液浄化治療に関わる制御や計測手段による計測等を停止することなく収容バッグを交換し、或いは作業者が誤って収容バッグを取り外したり追加してしまう可能性があった。その場合、計測手段で計測される収容バッグの重量が急に変化するため、計測手段で計測された重量が異常と判断されて警報を発してしまう虞があることから、そのような誤警報を解除するための無駄な作業が必要になってしまうという不具合があった。
【０００５】
また、血液浄化治療中、例えばハンガー部にて保持された収容バッグが破損して収容されていた液体が外部に流れ出た場合、計測手段で計測される収容バッグの重量は急に低下してしまうが、その場合、血液浄化装置においては、収容バッグの破損による重量の低下なのか作業者が収容バッグをハンガー部から取り外したことによる重量の低下なのか判別することができないという問題もあった。
【０００６】
本発明は、このような事情に鑑みてなされたもので、ハンガー部に取り付けられた収容バッグが不用意に交換されてしまうのを回避することができる血液浄化装置を提供することにある。
【課題を解決するための手段】
【０００７】
請求項１記載の発明は、透析液、補液又は抗凝固剤等の血液浄化治療のための液体を収容する収容バッグを保持し得る保持手段を具備し、当該収容バッグ内の液体を使用して血液浄化治療を行い得る血液浄化装置において、前記保持手段は、前記収容バッグを取り付け可能な取付け部を有するとともに、当該収容バッグを使用する使用位置と当該収容バッグを交換する交換位置との間で移動可能なハンガー部と、該ハンガー部で保持された収容バッグの重量を計測し得る計測手段と、前記ハンガー部が使用位置にあるとき、前記収容バッグの前記取付け部に対する取り付け及び取り外しを規制する規制手段とを具備し、前記規制手段は、前記ハンガー部に取り付けられるとともに、前記取付け部を遮蔽する第１位置と当該取付け部を開放する第２位置との間で移動し得る遮蔽板から成り、前記ハンガー部が交換位置にあるときに限り、当該第１位置から第２位置に移動可能とされたことを特徴とする。
【０００８】
請求項２記載の発明は、請求項１記載の血液浄化装置において、前記ハンガー部が前記使用位置にあることを検知する検知手段を具備するとともに、血液浄化治療中、前記ハンガー部が前記使用位置にあることを前記検知手段にて検知しないとき、当該ハンガー部が使用位置にない旨を報知することを特徴とする。
【０００９】
請求項３記載の発明は、請求項１記載の血液浄化装置において、前記ハンガー部が前記使用位置にあることを検知する検知手段を具備するとともに、血液浄化治療中、前記ハンガー部が前記使用位置にあることを前記検知手段にて検知しないとき、血液浄化治療に関わる制御を中止することを特徴とする。
【００１０】
請求項４記載の発明は、請求項３記載の血液浄化装置において、血液浄化治療に関わる制御が中止された後、前記ハンガー部が前記使用位置にあることを前記検知手段にて検知したとき、当該血液浄化治療に関わる制御を再開することを特徴とする。
【発明の効果】
【００１１】
請求項１の発明によれば、ハンガー部が使用位置にあるとき、収容バッグの取付け部に対する取り付け及び取り外しを規制する規制手段を具備したので、ハンガー部に取り付けられた収容バッグが不用意に交換されてしまうのを回避することができる。
【００１２】
さらに、規制手段は、ハンガー部に取り付けられるとともに、取付け部を遮蔽する第１位置と当該取付け部を開放する第２位置との間で移動し得る遮蔽板から成り、ハンガー部が交換位置にあるときに限り、当該第１位置から第２位置に移動可能とされたので、ハンガー部が使用位置にあるときの不用意な収容バッグの交換を確実に防止することができ、且つ、規制手段をハンガー部に追従させることができる。
【００１３】
請求項２の発明によれば、ハンガー部が使用位置にあることを検知する検知手段を具備するとともに、血液浄化治療中、ハンガー部が使用位置にあることを検知手段にて検知しないとき、当該ハンガー部が使用位置にない旨を報知するので、ハンガー部が収容バッグの交換が可能な位置にないことを作業者に確実に把握させることができる。
【００１４】
請求項３の発明によれば、ハンガー部が使用位置にあることを検知する検知手段を具備するとともに、血液浄化治療中、ハンガー部が使用位置にあることを検知手段にて検知しないとき、血液浄化治療に関わる制御を中止するので、血液浄化治療中の不用意な収容バッグの交換を確実に回避させることができる。
【００１５】
請求項４の発明によれば、血液浄化治療に関わる制御が中止された後、ハンガー部が使用位置にあることを検知手段にて検知したとき、当該血液浄化治療に関わる制御を再開するので、ハンガー部が使用位置にあるとき（すなわち、収容バッグの交換が規制手段にて規制されているとき）に限り、血液浄化治療に関わる制御が行われることとなり、血液浄化治療中の不用意な収容バッグの交換を確実に回避させることができ、且つ、血液浄化治療に関わる制御の中止後の再開を自動的に行わせることができる。
【図面の簡単な説明】
【００１６】
【図１】参考例に係る血液浄化装置（ハンガー部が使用位置にある状態）を示す斜視図
【図２】同血液浄化装置を示す正面図
【図３】同血液浄化装置を示す左側面図
【図４】同血液浄化装置を示す右側面図
【図５】同血液浄化装置における保持手段（ハンガー部が使用位置にある状態）を示す斜視図
【図６】同保持手段（ハンガー部が使用位置にある状態）を示す３面図
【図７】同血液浄化装置（ハンガー部が交換位置にある状態）を示す斜視図
【図８】同血液浄化装置（ハンガー部が交換位置にある状態）を示す正面図
【図９】同血液浄化装置（ハンガー部が交換位置にある状態）を示す左側面図
【図１０】同血液浄化装置（ハンガー部が交換位置にある状態）を示す右側面図
【図１１】同血液浄化装置における保持手段（ハンガー部が交換位置にある状態）を示す斜視図
【図１２】同保持手段（ハンガー部が交換位置にある状態）を示す３面図
【図１３】同血液浄化装置を示す概要図
【図１４】同血液浄化装置の制御内容を示すフローチャート
【図１５】本発明の実施形態に係る血液浄化装置における保持手段（ハンガー部が使用位置にある状態）を示す斜視図
【図１６】同保持手段（ハンガー部が使用位置にある状態）を示す３面図
【図１７】同血液浄化装置における保持手段（ハンガー部が交換位置にある状態）を示す斜視図
【図１８】同保持手段（ハンガー部が交換位置にある状態）を示す３面図
【図１９】本発明の他の実施形態に係る血液浄化装置における規制手段を示す斜視図であって、（ａ）ハンガー部が使用位置にあるとき、（ｂ）ハンガー部が交換位置にあるときを示す模式図
【発明を実施するための形態】
【００１７】
以下、本発明の実施形態について図面を参照しながら具体的に説明する。
参考例に係る血液浄化装置１は、患者に対して血液浄化治療（例えば、血液透析（ＨＤ）、血液透析濾過（ＨＤＦ）、血液濾過（ＨＦ）又は持続緩徐式血液濾過（ＣＨＦ）等の治療）を施すためのもので、図１〜１３に示すように、収容バッグＢ１〜Ｂ３を保持する保持手段２と、表示手段３と、挟持手段４と、収容バッグＢ４を保持する保持手段５と、制御手段Ｈと、しごき型ポンプ（Ｐ１〜Ｐ４）とが形成された装置本体Ａを具備している。
【００１８】
収容バッグＢ１〜Ｂ４は、血液浄化治療のための液体を収容するためのナイロン等の袋状容器から成り、例えば収容バッグＢ１にはダイアライザ９（図１３参照）に供給するための透析液が収容され、収容バッグＢ２にはダイアライザ９からの排液を収容するものとされ、収容バッグＢ３には補液が収容されているとともに、収容バッグＢ４には、抗凝固剤等の血液浄化治療中に投与される薬剤が収容されている。
【００１９】
表示手段３は、例えば液晶画面等を有したタッチパネルから成り、血液浄化治療に関わる設定や患者の状態等を表示し得るよう構成されている。挟持手段４は、ダイアライザ９を挟持させ得るもので、かかるダイアライザ９によって患者の血液を浄化し得るよう構成されている。ダイアライザ９は、微小孔（ポア）が形成された複数の中空糸を筐体部に収容して成るものであり、その筐体部に、血液導入ポート９ａ、血液導出ポート９ｂ、透析液導入ポート９ｃ及び透析液導出ポート９ｄが形成されている。
【００２０】
血液導入ポート９ａには動脈側血液回路８ａの基端が、血液導出ポート９ｂには静脈側血液回路８ｂの基端がそれぞれ接続されている。また、動脈側血液回路８ａの途中には、しごき型ポンプＰ１から成る血液ポンプが配設されているとともに、当該動脈側血液回路８ａ及び静脈側血液回路８ｂの先端には、患者に穿刺し得る動脈側穿刺針ａ及び静脈側穿刺針ｂがそれぞれ取り付け可能とされている。これにより、動脈側穿刺針ａ及び静脈側穿刺針ｂを患者に穿刺した後、しごき型ポンプＰ１を駆動させれば、動脈側血液回路８ａ及び静脈側血液回路８ｂにて患者の血液を体外循環させ得るとともに、その体外循環の過程でダイアライザ９による血液浄化が行われるようになっている。
【００２１】
一方、透析液導入ポート９ｃは、しごき型ポンプＰ３を介して収容バッグＢ１と接続されており、しごき型ポンプＰ３（透析液ポンプ）を駆動させることにより、収容バッグＢ１内の透析液をダイアライザ９に供給し得るようになっている。また、透析液導出ポート９ｄは、しごき型ポンプＰ２を介して収容バッグＢ２と接続されており、しごき型ポンプＰ２（透析液ポンプ）を駆動させることにより、ダイアライザ９からの排液を収容バッグＢ２内に収容し得るようになっている。さらに、静脈側血液回路８ｂには、しごき型ポンプＰ４から成る補液ポンプを介して収容バッグＢ３が接続されており、しごき型ポンプＰ４を駆動させることにより、収容バッグＢ３内の補液を静脈側血液回路８ｂに供給し得るようになっている。
【００２２】
保持手段２は、上記の如き収容バッグを保持するためのもので、本体部２ａと、収容バッグ（Ｂ１〜Ｂ３）を取り付け可能な取付け部２ｃを有するとともに、当該収容バッグ（Ｂ１〜Ｂ３）を使用する使用位置（図１〜６参照）と当該収容バッグ（Ｂ１〜Ｂ３）を交換する交換位置（図７〜１２参照）との間で移動可能なハンガー部２ｂと、該ハンガー部２ｂで保持された収容バッグ（Ｂ１〜Ｂ３）の重量を計測し得る計測手段ｇ（図１３参照）とを有して構成されている。
【００２３】
本体部２ａは、ハンガー部２ｂを移動自在に支持するもので、本参考例においては、ハンガー部２ｂを揺動させるための軸部Ｌと、該軸部Ｌが所定位置にあることを検知し得るセンサから成る検知手段Ｓとを有して構成されている。すなわち、図５、６に示すように、ハンガー部２ｂが本体部２ａの下方にあると「使用位置」となり、軸部Ｌを中心としてハンガー部２ｂを揺動させ、図１１、１２に示すように、ハンガー部２ｂが本体部２ａから離間した位置にあると「交換位置」とされるのである。
【００２４】
軸部Ｌは、ハンガー部２ｂの揺動に伴って回転する回転軸から成り、一部に突起Ｌａが形成されている。そして、ハンガー部２ｂが使用位置にあると、検知手段Ｓにて突起Ｌａが検知され、制御手段Ｈに電気信号が送信されるよう構成されている。すなわち、検知手段Ｓがオン状態になっていることで、ハンガー部２ｂが使用位置にあることを検知可能（オフ状態になっていることで、ハンガー部２ｂが使用位置にないことも検知可能）とされているのである。
【００２５】
ハンガー部２ｂは、一端が軸部Ｌに取り付けられた棒状部材から成り、所定間隔離間させて取付け部２ｃが複数形成されている。取付け部２ｃは、収容バッグ（Ｂ１〜Ｂ３）を吊り下げて保持可能なフックから成り、それぞれの基端に計測手段ｇが配設されている。計測手段ｇは、付与された荷重を計測する荷重計から成り、取付け部２ｃに吊り下げられた収容バッグ（Ｂ１〜Ｂ３）の重量（収容バッグと内容物とを合わせた総重量）を測定するとともに、その測定値を電気信号として制御手段Ｈに送信し得るようになっている。
【００２６】
しかして、収容バッグＢ１、Ｂ２の重量を計測手段ｇにて計測し、その重量に応じてしごき型ポンプＰ２、Ｐ３の駆動を制御することにより、所定の流量にて透析液をダイアライザ９に供給するとともに所定の流量にてダイアライザ９から排液を排出することができるとともに、収容バッグＢ３の重量を計測手段ｇにて計測し、その重量に応じてしごき型ポンプＰ４の駆動を制御することにより、所定の流量にて補液を静脈側血液回路８ｂに供給することができる。
【００２７】
ここで、本参考例に係る保持手段２は、ハンガー部２ｂが使用位置にあるとき、収容バッグ（Ｂ１〜Ｂ３）の取付け部２ｃに対する取り付け及び取り外しを規制する規制手段６を具備している。この規制手段６は、装置本体Ａに固定されるとともに、ハンガー部２ｂが使用位置にあるときに限り、取付け部２ｃを覆って遮蔽する遮蔽板から成るもので、例えば金属製板材を略コ字状にプレス加工することにより、正面部６ａ、下面部６ｂ及びフランジ部６ｃを有して構成されている。
【００２８】
すなわち、ハンガー部２ｂが使用位置にあるとき、図５、６に示すように、規制手段６の正面部６ａ、下面部６ｂ及びフランジ部６ｃが当該ハンガー部２ｂに形成された取付け部２ｃを覆って遮蔽し、その取付け部２ｃに対する収容バッグ（Ｂ１〜Ｂ３）の取り付け及び取り外しを規制（取り付け及び取り外しを物理的に規制）するとともに、ハンガー部２ｂが使用位置から揺動して交換位置に至ると、図１１、１２に示すように、ハンガー部２ｂが規制手段６から離間して取付け部２ｃに対する遮蔽が解かれ、その取付け部２ｃに対する収容バッグ（Ｂ１〜Ｂ３）の取り付け及び取り外しを許容するよう構成されているのである。
【００２９】
さらに、本参考例においては、血液浄化治療中、ハンガー部２ｂが使用位置にあることを検知手段Ｓにて検知しないとき（すなわち、ハンガー部２ｂが使用位置にないとき）、当該ハンガー部２ｂが使用位置にない旨を報知するよう構成されている。かかる報知は、例えば表示手段３にて表示するようにしてもよく、或いは図示しないスピーカや警告灯等による出力であってもよい。これにより、ハンガー部２ｂが収容バッグ（Ｂ１〜Ｂ３）の交換が可能な位置（交換位置）にないことを作業者に確実に把握させることができる。
【００３０】
またさらに、本参考例に係る制御手段Ｈは、血液浄化治療中、ハンガー部２ｂが使用位置にあることを検知手段Ｓにて検知しないとき、血液浄化治療に関わる制御を中止するとともに、血液浄化治療に関わる制御が中止された後、ハンガー部２ｂが使用位置にあることを検知手段Ｓにて検知したとき、当該血液浄化治療に関わる制御を再開するよう構成されている。
【００３１】
このように、血液浄化治療中、ハンガー部２ｂが使用位置にあることを検知手段Ｓにて検知しないとき、血液浄化治療に関わる制御を中止することにより、血液浄化治療中の不用意な収容バッグ（Ｂ１〜Ｂ３）の交換を確実に回避させることができる。また、血液浄化治療に関わる制御が中止された後、ハンガー部２ｂが使用位置にあることを検知手段Ｓにて検知したとき、当該血液浄化治療に関わる制御を再開するので、ハンガー部２ｂが使用位置にあるとき（すなわち、収容バッグ（Ｂ１〜Ｂ３）の交換が規制手段６にて規制されているとき）に限り、血液浄化治療に関わる制御が行われることとなり、血液浄化治療中の不用意な収容バッグ（Ｂ１〜Ｂ３）の交換を確実に回避させることができ、且つ、血液浄化治療に関わる制御の中止後の再開を自動的に行わせることができる。
【００３２】
なお、本参考例においては、例えば血液浄化治療時に患者に投与される抗凝固剤等の薬剤を収容した収容バッグＢ４が保持手段５によって保持されている。かかる保持手段５は、保持手段２と同様、フックから成る取付け部５ｃが形成されたハンガー部５ｂを有しており、図２に示すように、そのハンガー部が使用位置にあるとき、収容バッグＢ４の取付け部５ｃに対する取り付け及び取り外しを規制する規制手段７が装置本体Ａに取り付けられている。
【００３３】
次に、本参考例に係る制御手段Ｈによる制御内容について、図１４のフローチャートに基づいて説明する。
先ず、ハンガー部２ｂを交換位置とし、収容バッグ（Ｂ１〜Ｂ３）を保持手段２の取付け部２ｃにそれぞれ取り付けるとともに、収容バッグＢ４を保持手段５の取付け部５ｃに取り付けた後、ハンガー部２ｂ（保持手段５のハンガー部５ｂも同様）を使用位置まで移動させて血液浄化治療を行う（Ｓ１）。
【００３４】
そして、検知手段Ｓからの検知信号に基づいて、保持手段２のハンガー部２ｂが使用位置から移動したか否かを判断し（Ｓ２）、使用位置から移動していない場合は、血液浄化治療を継続させるとともに、使用位置から移動した場合は、Ｓ３に進んで、血液浄化治療に関わる制御（例えばしごき型ポンプＰ１〜Ｐ４の駆動や計測手段ｇによる計測等）を中止する。
【００３５】
その後、検知手段Ｓからの検知信号に基づいて、保持手段２のハンガー部２ｂが使用位置に移動したか否かを判断し（Ｓ４）、使用位置に移動していない場合は、血液浄化治療に関わる制御の中止を継続させるとともに、使用位置に移動した場合は、Ｓ５に進んで、血液浄化治療に関わる制御（例えばしごき型ポンプＰ１〜Ｐ４の駆動や計測手段ｇによる計測等）を再開する。
【００３６】
上記参考例によれば、ハンガー部２ｂが使用位置にあるとき、収容バッグ（Ｂ１〜Ｂ３）の取付け部２ｃに対する取り付け及び取り外しを規制する規制手段６を具備したので、ハンガー部２ｂに取り付けられた収容バッグ（Ｂ１〜Ｂ３）が不用意に交換されてしまうのを回避することができる。また、ハンガー部２ｂが使用位置にあるとき、不用意な収容バッグ（Ｂ１〜Ｂ３）の交換を物理的に規制するので、ハンガー部２ｂが使用位置にあるときに計測手段ｇの計測値が異常となった際、収容バッグ（Ｂ１〜Ｂ３）の破損等、主に血液浄化装置１のトラブルが原因であることから、誤警報を抑制することができる。
【００３７】
特に、本参考例に係る規制手段６（規制手段７も同様）は、装置本体Ａに固定されるとともに、ハンガー部２ｂが使用位置にあるときに限り、取付け部２ｃを覆って遮蔽する遮蔽板から成るので、ハンガー部２ｂが使用位置にあるときの不用意な収容バッグ（Ｂ１〜Ｂ３）の交換を確実に防止することができ、且つ、ハンガー部２ｂの構成を簡素化することができる。
【００３８】
次に、本発明の実施形態に係る血液浄化装置について説明する。
本実施形態に係る血液浄化装置は、参考例と同様、患者に対して血液透析等の血液浄化治療を施すためのもので、図１５〜１８に示すように、本体部１０ａと、収容バッグ（Ｂ１〜Ｂ３）を取り付け可能な取付け部１０ｃを有するとともに、当該収容バッグ（Ｂ１〜Ｂ３）を使用する使用位置（図１５、１６参照）と当該収容バッグ（Ｂ１〜Ｂ３）を交換する交換位置（図１７、１８参照）との間で移動可能なハンガー部１０ｂと、該ハンガー部１０ｂで保持された収容バッグ（Ｂ１〜Ｂ３）の重量を計測し得る計測手段ｇ（図１３参照）とを有した保持手段１０を具備している。なお、参考例と同様の構成（特に、装置本体Ａの構成）については、説明を省略する。
【００３９】
本体部１０ａは、ハンガー部１０ｂを移動自在に支持するもので、参考例と同様、ハンガー部１０ｂを揺動させるための軸部Ｌと、該軸部Ｌが所定位置にあることを検知し得るセンサから成る検知手段Ｓとを有して構成されている。すなわち、図１５、１６に示すように、ハンガー部１０ｂが本体部１０ａの下方にあると「使用位置」となり、軸部Ｌを中心としてハンガー部１０ｂを揺動させ、図１７、１８に示すように、ハンガー部１０ｂが本体部１０ａから離間した位置にあると「交換位置」とされるのである。
【００４０】
ハンガー部１０ｂは、一端が軸部Ｌに取り付けられた棒状部材から成り、所定間隔離間させて取付け部１０ｃが複数形成されている。取付け部１０ｃは、収容バッグ（Ｂ１〜Ｂ３）を吊り下げて保持可能なフックから成り、それぞれの基端に計測手段ｇが配設されている。計測手段ｇは、付与された荷重を計測する荷重計から成り、取付け部１０ｃに吊り下げられた収容バッグ（Ｂ１〜Ｂ３）の重量（収容バッグと内容物とを合わせた総重量）を測定するとともに、その測定値を電気信号として制御手段Ｈに送信し得るようになっている。
【００４１】
ここで、本実施形態に係る保持手段１０は、ハンガー部１０ｂが使用位置にあるとき、収容バッグ（Ｂ１〜Ｂ３）の取付け部１０ｃに対する取り付け及び取り外しを規制する規制手段１１を具備している。この規制手段１１は、ハンガー部１０ｂに取り付けられるとともに、取付け部１０ｃを遮蔽する第１位置（図１５、１６参照）と当該取付け部１０ｃを開放する第２位置（図１７、１８参照）との間で移動し得る遮蔽板から成り、ハンガー部１０ｂが交換位置にあるときに限り、当該第１位置から第２位置に移動可能とされている。
【００４２】
より具体的には、本実施形態に係る規制手段１１は、例えば金属製板材を略コ字状にプレス加工することにより、上面部１１ｂ及びフランジ部１１ｃを有して構成されており、ハンガー部１０ｂの両端面に形成された軸１１ａを中心に揺動して、第１位置と第２位置との間で移動可能とされているのである。しかして、規制手段１１が第１位置にあるとき、図１６に示すように、規制手段１１の上面部１１ｂ及びフランジ部１１ｃがハンガー部１０ｂに形成された取付け部１０ｃを覆って遮蔽し、その取付け部１０ｃに対する収容バッグ（Ｂ１〜Ｂ３）の取り付け及び取り外しを規制（取り付け及び取り外しを物理的に規制）するとともに、ハンガー部１０ｂが交換位置にあるとき、規制手段１１が第２位置に揺動すると、図１８に示すように、取付け部１０ｃに対する収容バッグ（Ｂ１〜Ｂ３）の取り付け及び取り外しを許容するよう構成されているのである。一方、ハンガー部１０ｂが使用位置にあるとき、規制手段１１を第１位置から第２位置に移動させようとしても、その上方の本体部１０ａに干渉して移動が規制されるようになっている。
【００４３】
上記実施形態によれば、参考例と同様、ハンガー部１０ｂが使用位置にあるとき、収容バッグ（Ｂ１〜Ｂ３）の取付け部１０ｃに対する取り付け及び取り外しを規制する規制手段１１を具備したので、ハンガー部１０ｂに取り付けられた収容バッグ（Ｂ１〜Ｂ３）が不用意に交換されてしまうのを回避することができる。また、ハンガー部１０ｂが使用位置にあるとき、不用意な収容バッグ（Ｂ１〜Ｂ３）の交換を物理的に規制するので、ハンガー部１０ｂが使用位置にあるときに計測手段ｇの計測値が異常となった際、収容バッグ（Ｂ１〜Ｂ３）の破損等、主に血液浄化装置１のトラブルが原因であることから、誤警報を抑制することができる。
【００４４】
特に、本実施形態に係る規制手段１１は、ハンガー部１０ｂに取り付けられるとともに、取付け部１０ｃを遮蔽する第１位置と当該取付け部１０ｃを開放する第２位置との間で移動し得る遮蔽板から成り、ハンガー部１０ｂが交換位置にあるときに限り、当該第１位置から第２位置に移動可能とされたので、ハンガー部１０ｂが使用位置にあるときの不用意な収容バッグ（Ｂ１〜Ｂ３）の交換を確実に防止することができ、且つ、規制手段１１をハンガー部１０ｂに追従させることができる。
【００４５】
以上、本実施形態について説明したが、本発明はこれに限定されない。例えば、ハンガー部（２ｂ、１０ｂ）が使用位置にあるとき、収容バッグ（Ｂ１〜Ｂ３）の取付け部（２ｃ、１０ｃ）に対する取り付け及び取り外しを規制する規制手段（６、１１）について、上記実施形態の如く遮蔽板から成るものに限らず、例えば図１９に示すように、収容バッグを保持可能な取付け部ｆ（フック）に揺動自在に取り付けられた棒状の規制手段１２としてもよい。
【００４６】
この場合、計測手段ｇにて取付け部ｆに取り付けられた収容バッグの重量を計測し得るよう構成されるとともに、保持手段のハンガー部が使用位置にあるとき、同図（ａ）に示すように、装置本体Ｍ等により規制手段１２の揺動が規制され、当該規制手段１２によって取付け部ｆに対する収容バッグの交換（取り付け及び取り外し）が規制され、保持手段のハンガー部が交換位置にあるとき、同図（ｂ）に示すように、軸１２ａを中心に揺動して規制手段１２による規制が解除され、取付け部ｆに対する収容バッグの交換（取り付け及び取り外し）を許容する。なお、この場合の規制手段１２は、その所定位置に穴１２ｂが形成されており、規制状態においては、同図（ａ）の如く穴１２ｂが取付け部ｆの先端に嵌まった状態となるよう構成されている。
【産業上の利用可能性】
【００４７】
収容バッグを取り付け可能な取付け部を有するとともに、当該収容バッグを使用する使用位置と当該収容バッグを交換する交換位置との間で移動可能なハンガー部と、該ハンガー部で保持された収容バッグの重量を計測し得る計測手段と、ハンガー部が使用位置にあるとき、収容バッグの前記取付け部に対する取り付け及び取り外しを規制する規制手段とが形成された保持手段を具備し、規制手段は、ハンガー部に取り付けられるとともに、取付け部を遮蔽する第１位置と当該取付け部を開放する第２位置との間で移動し得る遮蔽板から成り、ハンガー部が交換位置にあるときに限り、当該第１位置から第２位置に移動可能とされた血液浄化装置であれば、外観形状が異なるもの或いは他の機能が付加されたもの等にも適用することができる。
【符号の説明】
【００４８】
１    血液浄化装置
２    保持手段
３    表示手段
４    挟持手段
５    保持手段
６    規制手段
７    規制手段
８ａ  動脈側血液回路
８ｂ  静脈側血液回路
９    ダイアライザ（血液浄化器）
１０  保持手段
１１  規制手段
１２  規制手段
Ｂ１〜Ｂ４  収容バッグ
【図１】
0005990312.tif 000002
【図２】
0005990312.tif 000003
【図３】
0005990312.tif 000004
【図４】
0005990312.tif 000005
【図５】
0005990312.tif 000006
【図６】
0005990312.tif 000007
【図７】
0005990312.tif 000008
【図８】
0005990312.tif 000009
【図９】
0005990312.tif 000010
【図１０】
0005990312.tif 000011
【図１１】
0005990312.tif 000012
【図１２】
0005990312.tif 000013
【図１３】
0005990312.tif 000014
【図１４】
0005990312.tif 000015
【図１５】
0005990312.tif 000016
【図１６】
0005990312.tif 000017
【図１７】
0005990312.tif 000018
【図１８】
0005990312.tif 000019
【図１９】
0005990312.tif 000020